(57)【要約】【課題】  厨房家具の構築にあたり、異種薄型の間口幅のベースキャビネットの連接の要求がある場合、これに配設する引出ユニットを単一のベースキャビネットの主体へ同時に収容可能となるようにしたもので、ベースキャビネットの材料費、製造コストを低減するとともに、引出ユニットの配設の融通性を向上するようにする。【解決手段】  引出ユニットＬ１・Ｌ２をスライド可能に収容してなるベースキャビネットＢであり、このベースキャビネットＢの前記引出ユニットＬ１・Ｌ２の収容空間を左右に仕切る仕切板１ｆを立設することにより区画された各々の収容空間に、間口幅の異なる引出ユニットＬ１・Ｌ２を同時に収容可能となるようにする。【選択図】  図１
2005087609.tif 000002
【特許請求の範囲】
【請求項１】
引出ユニットをスライド可能に収容してなるベースキャビネットであり、このベースキャビネットの前記引出ユニットの収容空間を左右に仕切る仕切板を立設することにより区画された各々の収容空間に、間口幅の異なる引出ユニットを同時に収容可能となるようにしたことを特徴とするベースキャビネット。
【請求項２】
仕切板で仕切られた間口幅が３０ｃｍと１５ｃｍであることを特徴とする請求項１記載のベースキャビネット。
【請求項３】
仕切板を収容空間内で移設可能となるようにし、収容空間の区画域を変更できるようにしたことを特徴とする請求項１記載のベースキャビネット。
【請求項４】
仕切板を立設して形成された収容空間の一方に米びつを設けた引出ユニットを配設したことを特徴とする請求項１記載のベースキャビネット。
【発明の詳細な説明】
【技術分野】
【０００１】
本発明は、システムキッチンなどのような厨房家具を構築するための構成要素となるベースキャビネットの改良に関する。
【背景技術】
【０００２】
一般に厨房家具は、様々な収納品に対応可能であるようにするため、各種各様の引出ユニットなどで構成されている。図５は、従来の水回り部分の厨房家具Ｓの一般的な構築例を示すもので、このように完成された厨房家具Ｓは、図６に示すように複数の構成要素が集合されたものである。
【０００３】
即ち、同図において、複数のベースキャビネットＢ１・Ｂ２・Ｂ３・Ｂ４は、各々が対面する側板がビス・ナットなどの固定部品で連結されて一体化され、上面開口部にカウンタートップＣが載置され、固定される。そして、前面下部の蹴込み部分には幕板Ｄが取り付けられ、外観を向上するようにしている。
【０００４】
このように構成要素となるベースキャビネットＢ１・Ｂ２・Ｂ３・Ｂ４は、図６に代表例として示すように各種の基準間口幅（１５ｃｍ、３０ｃｍ、４５ｃｍ、７５ｃｍなど）があり、この各種の基準間口幅のベースキャビネットを任意に選択して組み合わせることにより厨房室内の壁間に隙間なく収まるようにしている。
【０００５】
ところで、従来のこのようなベースキャビネットでは、その収容空間に通常引出ユニットをスライド可能に収容しているが、単一のベースキャビネットに単一の引出ユニットが収容されているのが一般的な構成である。即ち、図６において、ベースキャビネットＢ１・Ｂ２は、例えば鍋・釜類のような大型の調理器具を収容すべく内部に大きな空間が形成されたものであり、ベースキャビネットＢ３にはトレイ式の引出ユニットが配設されている。
【０００６】
また、基準間口幅１５ｃｍのベースキャビネットＢ４は、いわゆるトールボーイ形のベースキャビネットであり、調味料などのビン立て、調理器具掛け、まな板ラックなどとなるようにその薄さに対応する引出ユニットＬ１を構成し、小物類を収容するようにしている。
【０００７】
ところで、このように構成される厨房家具は、当然厨房に配置されることから、米びつの収容も重要な条件となっている。しかしながら、米びつは一般に容量が大きなものであり、精米類を充填すると重量が大きくなるので、扱い難いものであった。そこで、従来は、ケース状の引出容器を可搬式に構成し、厨房内を移動可能とするようなものが提案されている（例えば、特許文献１）。
【０００８】
一方、厨房家具においては、米びつ自体をベースキャビネット内に収容してしまう傾向が顕著であり、精米類の貯蔵とともに計量も可能となるようにしている。図８は、このような目的で構成されたベースキャビネットの一例を示す図であり、通常、米びつＲの外形に対応するように、基準間口幅３０ｃｍのベースキャビネットＢ３に引出ユニットＬ２を配設し、米びつＲを収容するようにしている。
【０００９】
このようにして構成された小物類を収容する引出ユニットＬ１を備えるベースキャビネットＢ４と、米びつを収容する引出ユニットＬ２を備えるベースキャビネットＢ３を厨房内に構築する場合は、図９に示すように従来と同様の固定手段により対面する側板を連結して構築される。
【００１０】
ところが、ベースキャビネットＢ３・Ｂ４は、いずれも基準間口幅が狭いにも拘わらず、他の大型のベースキャビネットと側板の形状が全く同一であることにより、材料費、製造コストが同程度であることから、前述したような基準間口幅の薄いベースユニットを連接する場合は、コストが大きくなる要因となっていた。
【特許文献１】特開平１０−９９２１６号公報
【発明の開示】
【発明が解決しようとする課題】
【００１１】
本発明は、かかる従来の問題に鑑みなされたものであり、異種の薄型間口幅のベースキャビネットの連設の要求がある場合、これに配設する引出ユニットを単一のベースキャビネットの主体へ同時に収容可能となるようにしたもので、ベースキャビネットの材料費、製造コストを低減するとともに、同時に引出ユニットの配設の融通性を向上するものである。
【課題を解決するための手段】
【００１２】
そこで本発明は、以下に述べる各手段により上記課題を解決するようにした。即ち、請求項１記載の発明では、引出ユニットをスライド可能に収容してなるベースキャビネットであり、このベースキャビネットの前記引出ユニットの収容空間を左右に仕切る仕切板を立設することにより区画された各々の収容空間に、間口幅の異なる引出ユニットを同時に収容可能となるようにする。
【００１３】
請求項２記載の発明では、上記請求項１記載の発明において、仕切板により仕切られた間口幅が３０ｃｍと１５ｃｍであるようにする。
【００１４】
請求項３記載の発明では、上記請求項１記載の発明において、仕切板を収容空間内で移設可能となるようにし、収容空間の区画域を変更できるようにする。
【００１５】
請求項４記載の発明では、上記請求項１記載の発明において、仕切板を立設して形成された収容空間の一方に米びつを設けた引出ユニットを配設するようにする。
【発明の効果】
【００１６】
本発明のベースキャビネットによれば、単一のベースキャビネットに異なる引出ユニットを収容できるようにしたことから、コストを大幅に低減することができ、また、ベースキャビネット内で引出ユニットの配設位置を任意に設定することができるため、厨房家具の多様な構築を容易に可能とすることができる。
【発明を実施するための最良の形態】
【００１７】
以下、本発明の実施の形態を図にもとづいて詳細に説明する。なお、従来の構成と共通する部分には共通の符号を付して説明する。
【００１８】
図１は、本発明を実施して完成したベースキャビネットＢを示す図であり、ベースキャビネット主体１に小物類を収容する引出ユニットＬ１と、好適な例として米びつＲを収容した引出ユニットＬ２が同時に配設された状態を示す。前記引出ユニットＬ１は、同図に示すように調味料などのビン類が収容される場合もあるが、カゴ、ラックなどを配設し、調理器具などを収容する場合もある。また、引出ユニットＬ２には前述したように米びつＲを収容するのが好適であるが、これに限定されるものではない。なお、前記引出ユニットＬ１・Ｌ２は、既知のスライドレールユニット（図示せず）によりスライド可能となるようにしている。
【００１９】
図２は、ベースキャビネット主体１の構成を示す図であり、その主要な構成は、同図に示すように側板１ａ間に底板１ｂ、背板１ｃ、中板１ｄ、幕板１ｅが梁渡されて固定され、箱体が構成され、前記底板１ｂと中板１ｄとの間には、仕切板１ｆが立設される。
【００２０】
前記仕切板１ｆの頂辺には、図３に示すようにダボ２が植設されており、底辺にはノックダウン用として常用されている連結金具３が配設されている。前記ダボ２は、中板１ｄのダボ孔Ｈ１に挿通され、仕切板１ｆの頂辺が係止される状態となる。一方、前記連結金具３は、底板１ｂに植設された係止ピンＰ１に固定され、仕切板１ｆの立設状態が維持される。
【００２１】
なお、前記ダボ孔Ｈ１は、中板１ｄの右辺から幅Ｗ１であり左辺から幅Ｗ２の位置に形成し、一方、ダボ孔Ｈ２は、中板１ｄの左辺から幅Ｗ１であり右辺から幅Ｗ２の位置に形成する。また、同様に前記係止ピンＰ１は、底板１ｂの右辺から幅Ｗ１であり左辺から幅Ｗ２の位置に植設し、一方、係止ピンＰ２は、底板１ｂの左辺から幅Ｗ１であり右辺から幅Ｗ２の位置に植設する。
【００２２】
そして、仕切板１ｆをダボ孔Ｈ１と係止ピンＰ１により立設した場合、この仕切板１ｆで区画される左右の収容空間の間口幅は、図２に示すように、右側に幅Ｗ１の収容空間が形成され、左側に幅Ｗ２の収容空間が形成される。また、図３の仮想線で示すように仕切板１ｆをダボ孔Ｈ２と係止ピンＰ２により立設した場合、この仕切板１ｆで区画される左右の収容空間の間口幅は、左側にＷ１の収容空間が形成され、右側に幅Ｗ２の収容空間が形成される。なお、幅Ｗ１を１５ｃｍとし、幅Ｗ２を３０ｃｍと定めることにより、１５ｃｍの基準間口幅と３０ｃｍの基準間口幅の引出ユニットの配設が可能となる。
【００２３】
本発明は、以上のように構成したことにより、図１に示すように既存の基準間口幅１５ｃｍの引出ユニットＬ１と基準間口幅３０ｃｍの引出ユニットＬ２を単一のベースキャビネット主体１へ同時に配設することが可能となり、両引出ユニットＬ１・Ｌ２をベースキャビネット主体１に収めたとき、図４に示すように従来のベースキャビネットと同一の外観となる。  
【００２４】
なお、前述したように仕切板１ｆの立設位置を変更することにより左右の基準間口幅の開口位置を変更することができるので、引出ユニットＬ１・Ｌ２の配設位置を任意に選択することができ、厨房家具の構築において融通性の高いベースキャビネットとすることができる。
【図面の簡単な説明】
【００２５】
【図１】本発明を実施したベースキャビネットを示す斜視図である。
【図２】本発明のベースキャビネットの要部斜視図である。
【図３】本発明のベースキャビネットの要部組立斜視図である。
【図４】本発明のベースキャビネットの完成状態の斜視図である。
【図５】厨房家具の構築例を示す斜視図である。
【図６】図５の分解斜視図である。
【図７】従来の薄型のベースキャビネットの例を示す斜視図である。
【図８】従来の米びつを設けたベースキャビネットを示す斜視図である。
【図９】図７と図８のベースキャビネットを連結した状態の斜視図である。
【符号の説明】
【００２６】
Ｂ・・・・・・ベースキャビネット
１・・・・・・ベースキャビネット主体
１ａ・・・・・側板
１ｂ・・・・・底板
１ｃ・・・・・背板
１ｄ・・・・・中板
１ｅ・・・・・幕板
１ｆ・・・・・仕切板
２・・・・・・ダボ
３・・・・・・連結金具
Ｈ１・Ｈ２・・ダボ孔
Ｐ１・Ｐ２・・係止ピン
Ｌ１・Ｌ２・・引出ユニット
Ｒ・・・・・・米びつ
【図１】
2005087609.tif 000003
【図２】
2005087609.tif 000004
【図３】
2005087609.tif 000005
【図４】
2005087609.tif 000006
【図５】
2005087609.tif 000007
【図６】
2005087609.tif 000008
【図７】
2005087609.tif 000009
【図８】
2005087609.tif 000010
【図９】
2005087609.tif 000011